(57)【要約】【課題】ロック手段の状態を容易に確認できる農作業機を提供する。【解決手段】農作業機である散布装置１は、トラクタの後部に連結する中央の第１作業部３と、展開状態及び折畳状態になる左右の第２作業部４とを備える。散布装置１は、第２作業部４を第１作業部３に対してロックするロック手段10を備える。ロック手段10は、ロック状態及びロック解除状態になる回動可能なロックアーム71を有する。ロックアーム71は、少なくともロック状態時にトラクタに乗った作業者が目視可能なロック確認部95を有する。【選択図】図１
2019118300.tif 000002
【特許請求の範囲】
【請求項１】
走行車に連結される第１作業部と、
この第１作業部に設けられ、展開状態及び折畳状態になる第２作業部と、
この第２作業部を前記第１作業部に対してロックするロック手段とを備え、
前記ロック手段は、ロック状態及びロック解除状態になる操作体を有し、
前記操作体は、少なくともロック状態時に前記走行車に乗った作業者が目視可能なロック確認部を有する
ことを特徴とする農作業機。
【請求項２】
操作体のロック確認部は、少なくともロック状態時に第１作業部よりも上方に突出して位置する部分である
ことを特徴とする請求項１記載の農作業機。
【請求項３】
操作体のロック確認部は、農作業機の吊り上げの際に吊上部材と係合する係合部分を有する
ことを特徴とする請求項１又は２記載の農作業機。
【請求項４】
第２作業部は、第１作業部の左右両側にそれぞれ設けられ、
前記第２作業部に対応した左右の操作体のロック確認部は、これら両操作体のロック状態時には互いに交差状に位置する
ことを特徴とする請求項１ないし３のいずれか一記載の農作業機。
【請求項５】
第１作業部は、
被散布物が収容される第１収容体と、
この第１収容体内で回転しながら被散布物を前記第１収容体の散布口側に送る第１回転体と、
この第１回転体に設けられた第１係合体とを有し、
第２作業部は、
被散布物が収容される第２収容体と、
この第２収容体内で回転しながら被散布物を前記第２収容体の散布口側に送る第２回転体と、
この第２回転体に設けられ、前記第２作業部の展開状態時には前記第１係合体との係合により前記第１回転体側からの動力を前記第２回転体側に伝達するが、前記第２作業部の折畳状態時には前記第１係合体とは係合せず前記第１回転体側からの動力を前記第２回転体側に伝達しない第２係合体とを有する
ことを特徴とする請求項１ないし４のいずれか一記載の農作業機。
【請求項６】
第２作業部は、展開状態時には第１作業部の側方でこの第１作業部とともに散布作業をするが、折畳状態時には前記第１作業部の後方に格納される
ことを特徴とする請求項５記載の農作業機。
【請求項７】
第１作業部は、操作体が回動可能に取り付けられた取付部を有し、
第２作業部は、ロック用係合部を有し、
ロック手段は、
前記操作体の回動に応じて移動可能で、前記操作体のロック状態時には前記ロック用係合部と係合するが、前記操作体のロック解除状態時には前記ロック用係合部と係合しないロック体と、
このロック体を前記ロック用係合部と係合しない位置まで移動させる付勢体とを有する
ことを特徴とする請求項１ないし６のいずれか一記載の農作業機。
【発明の詳細な説明】
【技術分野】
【０００１】
本発明は、折り畳み可能な農作業機に関するものである。
【背景技術】
【０００２】
従来、例えば下記の特許文献１に記載された農作業機が知られている。
【０００３】
この従来の農作業機は、トラクタ等の走行車に連結される第１作業部と、この第１作業部に設けられ、展開状態（突出状態）及び折畳状態（非突出状態）になる第２作業部と、この第２作業部を第１作業部に対してロックするロック手段とを備えている。そして、第２作業部は、展開状態時及び折畳状態時のいずれであっても、散布作業をすることが可能である。
【先行技術文献】
【特許文献】
【０００４】
【特許文献１】特開２０１４−９３９７６号公報
【発明の概要】
【発明が解決しようとする課題】
【０００５】
しかしながら、上記従来の農作業機では、例えば走行車に乗った作業者からは、ロック手段の状態を確認しにくく、その確認に手間取るおそれがある。
【０００６】
本発明は、このような点に鑑みなされたもので、ロック手段の状態を容易に確認できる農作業機を提供することを目的とする。
【課題を解決するための手段】
【０００７】
本発明に係る農作業機は、走行車に連結される第１作業部と、この第１作業部に設けられ、展開状態及び折畳状態になる第２作業部と、この第２作業部を前記第１作業部に対してロックするロック手段とを備え、前記ロック手段は、ロック状態及びロック解除状態になる操作体を有し、前記操作体は、少なくともロック状態時に前記走行車に乗った作業者が目視可能なロック確認部を有するものである。
【発明の効果】
【０００８】
本発明によれば、走行車に乗った作業者は、走行車に乗ったまま、ロック手段の状態を容易に確認することができる。
【図面の簡単な説明】
【０００９】
【図１】本発明の第１の実施の形態に係る農作業機の展開時の後方斜視図である。
【図２】同上農作業機の展開時の前方斜視図である。
【図３】同上農作業機の展開時の側面図である。
【図４】同上農作業機の展開時の部分後方斜視図である。
【図５】同上農作業機の折畳時の前方斜視図である。
【図６】同上農作業機の折畳時の正面図である。
【図７】同上農作業機の折畳時の部分平面図である。
【図８】（ａ）及び（ｂ）はロック手段のロック解除時の図である。
【図９】ロック手段のロック時の図である。
【図１０】本発明の第２の実施の形態に係る農作業機の折畳時の正面図である。
【図１１】（ａ）及び（ｂ）はロック手段のロック解除時の図である。
【図１２】（ａ）及び（ｂ）はロック手段のロック時の図である。
【発明を実施するための形態】
【００１０】
本発明の第１の実施の形態について図１ないし図９を参照して説明する。
【００１１】
図中の１は、農作業機である散布装置で、この散布装置１は、圃場を走行可能な走行車であるトラクタ（図示せず）の後部に連結され、そのトラクタの走行により前方（進行方向）に移動しながら散布作業（農作業）をするものである。そして、この散布装置１は、被散布物、すなわち例えば肥料を圃場に散布する３分割式の折り畳み可能な施肥機（折畳農作業機）である。なお、散布装置１は、種子や薬剤等の被散布物を散布するものでもよい。
【００１２】
散布装置１は、トラクタの後部の３点リンク（作業機昇降装置）に脱着可能に連結される第１作業部（中央作業部）３と、この第１作業部３に回動可能に設けられ展開方向への回動により展開状態になりかつ折畳方向への回動により折畳状態になる左右の第２作業部（左側の延長作業部及び右側の延長作業部）４と、この第２作業部４を第１作業部３に対して回動させる左右の回動駆動手段である回動用シリンダ５とを備えている。
【００１３】
そして、第２作業部４は、第１作業部３の左右方向両端部に上下方向の回動中心軸（回動支点）６を中心として水平方向（前後方向）に１８０度回動可能にそれぞれ設けられている。このため、各第２作業部４は、展開状態時（突出状態時である展開作業状態時）には第１作業部３の側方でこの第１作業部３とともに散布作業をするが、折畳状態時（非突出状態時である折畳非作業時）には第１作業部３の後方に非突出状態となるように格納される。なお、各第２作業部４の左右方向長さ寸法は、左右方向長手状の第１作業部３の左右方向長さ寸法の半分（略半分を含む）である。
【００１４】
また、散布装置１は、第２作業部４の折畳状態時に、第１作業部３に対する第２作業部４の回動を規制することによりこの第２作業部４を第１作業部３に対してロックする手動式の左右のロック手段（折畳時ロック手段）10を備えている。
【００１５】
第１作業部（中央作業部）３は、トラクタの後部の３点リンクに脱着可能に連結され、被散布物が収容される第１収容体11と、この第１収容体11内で回転しながら被散布物を第１収容体11の散布口側に送る左右方向軸状の繰出用の第１回転体12と、この第１回転体12の軸方向両端部にそれぞれ固着された動力伝達用の第１係合体（一方側クラッチ）13とを有している。
【００１６】
第１収容体11は、左右方向長手状で上下２本の前フレーム15を有し、この前フレーム15に３点連結部16が設けられている。３点連結部16は、３点リンクの上部リンクに脱着可能に連結されるマスト16aと、３点リンクの下部リンクに脱着可能に連結される左右のロワアーム16bとによって構成されている。マスト16aは上側の前フレーム15に突設され、各ロワアーム16bは下側の前フレーム15に突設されている。
【００１７】
第１収容体11は、前側中央部にミッションケース17を有し、このミッションケース17には入力軸18が回転可能に設けられている。入力軸18はトラクタのＰＴＯ軸にジョイント等を介して接続され、この入力軸側からの動力で第１回転体12が駆動回転する。
【００１８】
第１収容体11は、上面開口から被散布物が投入されて収容される左右方向長手状で箱状の収容本体（第１ホッパーである中央ホッパー）21と、この収容本体21の上面開口を開閉する開閉蓋22とを有している。
【００１９】
そして、収容本体21の底面には、左右方向に間隔をおいて並ぶ複数の散布口（図示せず）が形成されており、これら複数の散布口は細長板状の開閉部材であるシャッター（図示せず）によって開閉される。シャッターには、収容本体21の散布口に対応する複数の開口が形成されている。そして、シャッターは、駆動手段であるシャッター開閉用シリンダ25の伸縮に基づいて、シャッター開閉リンク26が作動することで、収容本体21の底面に沿って摺動して散布口を開閉する。なお、収容本体21内における底面付近には、第１回転体12が回転可能に配置されている。
【００２０】
収容本体21の前面には複数の支持板27が取り付けられ、これら複数の支持板27によって２本の前フレーム15が支持されている。収容本体21の前面における中央部には、入力軸を覆う入力軸カバー28が取り付けられている。
【００２１】
また、第１収容体11は、収容本体21の側面と近接して対向する左右の側板29を有し、この各側板29の上部には、側方に向かって開口する内部空間31aを有する展開時嵌合受け体31が取り付けられている。各側板29の下部にはピン取付板32が取り付けられ、このピン取付板32にピン33が取り付けられている。
【００２２】
第１収容体11は、左右方向長手状で断面コ字状の後フレーム35を有し、この後フレーム35の中央側の２箇所には、後方に向かって開口する内部空間36aを有する折畳時嵌合受け体36が取り付けられている。この折畳時嵌合受け体36には連結棒37の上端部が連結され、この連結棒37の下端部がベース枠38に連結されている。また、後フレーム35は、収容本体21の後面に取り付けられた支持板39で支持されている。
【００２３】
第１回転体12は、第１収容体11の収容本体21内における底面付近で回転する左右方向長手状の回転軸40を有し、この回転軸40には、被散布物を収容本体21の散布口側に送る複数の繰出羽根（図示せず）が取り付けられている。
【００２４】
第１係合体13は、図５に示すように、第１回転体12の回転軸40の軸方向端部に固着され、収容本体21外に位置している。この第１係合体13は、周方向に間隔をおいて並ぶ複数の係合爪部13aを有している。
【００２５】
左右の各第２作業部（延長作業部）４は、第１作業部３の第１収容体11の左右方向端部に上下方向の回動中心軸６を中心として水平方向に１８０度回動可能に取り付けられ、被散布物が収容される第２収容体41と、この第２収容体41内で回転しながら被散布物を第２収容体41の散布口45側に送る左右方向軸状の繰出用の第２回転体42と、この第２回転体42の軸方向端部である内端部に固着され、第１係合体13と係脱可能に係合する動力伝達用の第２係合体（他方側クラッチ）43とを有している。
【００２６】
そして、第２係合体43は、第２作業部４の展開状態時には第１係合体13との係合により第１回転体12側からの動力を第２回転体42側に伝達するが、第２作業部４の折畳状態時には第１係合体13とは係合せず第１回転体12側からの動力を第２回転体42側に伝達しないものである。なお、これら第１係合体13と第２係合体43とによってクラッチ手段44が構成されている。
【００２７】
第２収容体41は、上面開口から被散布物が投入されて収容される左右方向長手状で箱状の収容本体（第２ホッパーである延長ホッパー）46と、この収容本体46の上面開口を開閉する開閉蓋47とを有している。
【００２８】
そして、前記第１収容体11の収容本体21と同様、収容本体46の底面には、左右方向に間隔をおいて並ぶ複数の散布口45が形成されており、これら複数の散布口45は細長板状の開閉部材であるシャッター50によって開閉される。シャッター50には、収容本体46の散布口45に対応する複数の開口が形成されている。そして、シャッター50は、駆動手段であるシャッター開閉用シリンダ51の作動に基づいて、シャッター開閉リンク52が作動することで、収容本体46の底面に沿って摺動して散布口45を開閉する。なお、収容本体46内における底面付近には、第２回転体42が回転可能に配置されている。
【００２９】
収容本体46の前面には複数の支持板53が取り付けられ、これら複数の支持板53によって２本の前フレーム54が支持されている。下側の前フレーム54には作溝輪用ホルダー55が取り付けられ、この作溝輪用ホルダー55には作溝輪56が上下位置調整可能に取り付けられている。
【００３０】
また、第２収容体41は、収容本体46の側面と近接して対向する左右の側板57を有している。第１収容体11の側板29と対向する内側の側板57の上部には、第２作業部４の展開状態時に展開時嵌合受け体31と嵌脱可能に嵌合する突出状の展開時嵌合体61が取り付けられている。また、この内側の側板57の下部には、第２作業部４の展開状態時にピン33と係脱可能に係合する凹状の係合板62が取り付けられている。
【００３１】
さらに、第２収容体41は、左右方向長手状で断面コ字状の後フレーム63を有し、この後フレーム63は、収容本体46の後面に取り付けられた支持板64で支持されている。そして、後フレーム63には、第２作業部４の折畳状態時に折畳時嵌合受け体36と嵌脱可能に嵌合する突出状の折畳時嵌合体66が取り付けられている。この折畳時嵌合体66には、上方に向かって開口するロック用係合部であるロック用係合孔部67が形成されている。
【００３２】
第２回転体42は、第２収容体41の収容本体46内における底面付近で回転する左右方向長手状の回転軸68を有し、この回転軸68には、被散布物を収容本体46の散布口45側に送る複数枚の繰出羽根69が取り付けられている。
【００３３】
第２係合体43は、図５に示すように、第２回転体42の回転軸68の軸方向端部である内端部に固着され、収容本体46外に位置している。この第２係合体43は、周方向に間隔をおいて並ぶ複数の係合爪部43aを有している。そして、第２作業部４の展開状態時には、第１係合体13の係合爪部13aと第２係合体43の係合爪部43aとが互いに係合して第１回転体12側からの動力を第２回転体42側に伝達するが、第２作業部４の折畳状態時には両係合爪部13a，43a同士の係合が解除されて動力伝達が遮断される。
【００３４】
左右の各ロック手段10は、図７ないし図９にも示すように、第１作業部３の折畳時嵌合受け体36の取付部であるアーム取付部70に上下方向に回動可能に取り付けられ、回動によりロック状態及びロック解除状態になる長手状の操作体であるロックアーム71と、このロックアーム71の回動に応じて上下動（移動）するロック体であるロックピン72と、このロックピン72を上方に向けて付勢する付勢体であるコイルバネ73とを有している。
【００３５】
そして、作業者がロックアーム71を略横向きのロック解除状態から斜め上向きのロック状態になるように一方向（ロック方向）に回動操作した場合には、ロックピン72は、ロックアーム71の基端側のカム面93によって押されることにより、コイルバネ73の付勢力に抗して下動して折畳時嵌合体66のロック用係合孔部67に挿入される。その結果、第２作業部４は、第１作業部３に対してロックされ、第１作業部３に対して回動不能な状態となる。
【００３６】
また、作業者がロックアーム71をロック状態からロック解除状態となるように他方向（ロック解除方向）に回動操作した場合には、ロックピン72は、コイルバネ73の付勢力に基づいて上動して折畳時嵌合体66のロック用係合孔部67から抜き出される。その結果、ロック手段10による第２作業部４のロックが解除され、この第２作業部４は、第１作業部３に対して回動可能な状態となる。
【００３７】
ここで、折畳時嵌合受け体36のアーム取付部70は、互いに対向する２枚の取付板75からなり、これら両取付板75の上部には、ロックアーム71の基端部が取付手段76を介して前後方向の回動中心軸線（回動支点）Ｘを中心として上下方向に回動可能に取り付けられている。なお、取付手段76は、例えばボルト77、ナット78、ワッシャ79及びカラー80によって構成されている。
【００３８】
また、各取付板75には４つのピン取付用孔81が形成され、そのうちの２つのピン取付用孔81には、ロックアーム71の回動を規制してロックアーム71を所望状態に位置決め保持する回動規制用のストッパピンであるスプリングピン82が取り付けられている。このため、ロックアーム71は、第１作業部３のアーム取付部70に対して所定の回動範囲（例えば１２０度）内で回動可能となっている。
【００３９】
なお、図８及び図９に示すロックアーム71は、左側の第２作業部４をロックするための左側のものであるが、それとは左右対称の右側のロックアーム71に関しては、それを所望状態（ロック状態、ロック解除状態）に位置決め保持するスプリングピン82の取付位置は左右対称（図８及び図９中の不使用のピン取付用孔81）となる。つまり、４つのピン取付用孔81が形成された取付板75は、左右兼用の構成となっている。また、左右のロックアーム71がロック状態時に互いに干渉しないように、右側の第２作業部４では、ロックアーム71及びカラー80が前後逆に組み付けられている。
【００４０】
また、前後の両取付板75には固定板85が架設され、この固定板85の中央部にはピン挿通用孔86が形成されている。このピン挿通用孔86には、ロックピン72の軸部87が上下方向に摺動可能に挿通されている。このロックピン72の軸部87の上端部には鍔部88が突設され、軸部87の中間部には環状部材である止め輪89が装着されている。軸部87の下端側は、折畳時嵌合受け体36の上板部83の孔部90に差し込まれており、ロックアーム71のロック状態時には折畳時嵌合体66のロック用係合孔部67に進入する。
【００４１】
さらに、ロックピン72の軸部87の外周側にはコイルバネ73が設けられ、このコイルバネ73の上端が止め輪89に当接しかつ下端が上板部83における孔部90の周囲部分の上面に当接している。また、ロックピン72の上面には、ロックアーム71のカム面93が常時当接している。このため、カム面93の作用によりロックアーム71の回動に応じてロックピン72が上下動し、その結果、ロックピン72は第２作業部４の折畳時嵌合体66のロック用係合孔部67に対して挿入出される。
【００４２】
また、ロックアーム71は、作業者が直接操作する所定長さを有する１本の長手状のもので、作業者が把持する棒状のハンドル部91を先端側に有し、略円板状のカム部92を基端側に有している。このカム部92には、ロックピン72と摺接する湾曲状のカム面93が形成されている。
【００４３】
さらに、ロックアーム71は、このロックアーム71のロック状態時において、第１作業部３の上面（第２作業部４の上面も同じ高さに位置する）よりも上方に突出して位置する部分であって、トラクタに乗った作業者が乗ったままで目視可能なロック確認部95を有している。このロック確認部95は、例えば長手状のロックアーム71のうち、ロック状態時に第１作業部３よりも上方に位置するハンドル部91を含む先端側の部分である。
【００４４】
また、このロック確認部95は、散布装置１の吊り上げの際（例えば散布装置１全体を吊り上げてクレーン付きトラックの荷台に載せる場合等）に、吊上部材96と係合する環状の係合部分である環状部分97を有している。なお、吊上部材96は、例えばトラックに設けられたクレーンのフックである。
【００４５】
そして、左右の両第２作業部４に対応した左右のロックアーム71のロック確認部95は、両ロックアーム91のロック状態時には、図５及び図６に示すように、第１作業部３よりも上方の位置でかつ第１作業部３の左右方向中央位置において、前後に近接対向して重なるように互いに交差状に位置する。このため、互いに近接対向した両環状部分（中央の１箇所の吊り位置部分）97に対して、吊上部材96であるフックを直接引っ掛けることが可能である。
【００４６】
また一方、ロックアーム71のロック解除状態時には、ハンドル部91の先端部は、第１作業部３の側面よりも側方に突出して位置するため、作業者はその突出部分を把持してロックアーム71を容易に操作可能である（図６参照）。
【００４７】
なお、ロックアーム71は、図４に示されるように、例えば細長い板状部材98と、この板状部材98の先端部の後面に固着されたＵ字状の屈曲棒99と、この板状部材98の先端部に固着された直棒100とによって構成されている。そして、吊り上げ時に使用する環状部分97は、Ｕ字状の屈曲棒99と板状部材98の先端部とからなる部分である。
【００４８】
また、散布装置１は、中央の第１作業部３のシャッター開閉用シリンダ25と、左右の第２作業部４のシャッター開閉用シリンダ51とを個別に制御する制御手段101を備えている。制御手段101は、図示しない遠隔操作手段であるリモコンからの信号に基づいて、３つの各シャッター開閉用シリンダ（電動シリンダ）25，51を制御する。そして、制御手段101は、例えば第２作業部４が折畳方向への回動を開始した際には、当該第２作業部４のシャッター開閉用シリンダ51を制御して散布口45を自動的に全閉にする。
【００４９】
一方、左右の２つの回動用シリンダ５は、例えば油圧シリンダで、トラクタの外部油圧装置に油圧ホースを介して接続され、トラクタの運転席にあるスイッチ操作に基づき当該外部油圧装置のバルブによって制御される。なお、回動用シリンダ５は、油圧シリンダには限定されず、例えば電動シリンダや電動油圧シリンダ等でもよく、各シャッター開閉用シリンダと同様、制御手段101で制御するようにしてもよい。
【００５０】
次に、散布装置１の作用等を説明する。
【００５１】
中央の第１作業部３と左右の両第２作業部４とで散布作業をする場合には、両第２作業部４を展開状態にする。
【００５２】
この場合、第１作業部３に対して第２作業部４を回動中心軸６を中心として展開方向へ１８０度回動させると、展開時嵌合体61が、展開時嵌合受け体31の内部空間31aに進入してこの展開時嵌合受け体31と嵌合する。これにより、第２作業部４の展開時嵌合体61が、第１作業部３の展開時嵌合受け体31によって保持される。
【００５３】
そして、トラクタの走行により、展開した散布装置１を進行方向に移動させることで、最大幅で散布作業を行うことができる。
【００５４】
また、中央の第１作業部３と左右いずれか一方の第２作業部４とで散布作業をする場合には、いずれか他方の第２作業部４を折畳状態にする。また、中央の第１作業部３のみで散布作業をする場合や、散布装置１を運搬する場合等には、左右の両第２作業部４を折畳状態にする。
【００５５】
ここで、第２作業部４を折畳状態にする際には、ロック手段10によって第２作業部４を第１作業部３に対してロックする。
【００５６】
すなわち、まず、第１作業部３に対して第２作業部４を回動中心軸６を中心として折畳方向へ１８０度回動させると、折畳時嵌合体66が、折畳時嵌合受け体36の内部空間36aに進入してこの折畳時嵌合受け体36と嵌合する。これにより、第２作業部４の折畳時嵌合体66が、第１作業部３の折畳時嵌合受け体36によって保持される。
【００５７】
その後、作業者は、ハンドル部91を把持して、ロックアーム71を回動中心軸線Ｘを中心としてロック方向へ１２０度回動操作する。
【００５８】
すると、ロックピン72は、ロックアーム71のカム面93で押されることにより、コイルバネ73の付勢力に抗して下動して、折畳時嵌合体66のロック用係合孔部67に挿入される。その結果、折畳状態の第２作業部４は、第１作業部３に対してロックされる。このとき、ロックアーム71のロック確認部95は、第１作業部３の上面よりも上方に突出して位置している。
【００５９】
そして、例えば折り畳んだ散布装置１を吊り上げてクレーン付きトラックの荷台に載せる際には、第１作業部３よりも上方の位置で交差した突出状のロックアーム71の両環状部分（吊り位置部分）97に対して、クレーンの吊上部材96であるフックを直接引っ掛ける。その後、クレーンを作動させることで、散布装置１を所望高さまで吊り上げてトラックの荷台に載せる。
【００６０】
なお、第２作業部４で散布作業をするに際し、ロック手段10によるロックを解除する場合には、作業者は、ハンドル部91を把持して、ロックアーム71を回動中心軸線Ｘを中心としてロック解除方向へ１２０度回動操作する。すると、ロックピン72は、コイルバネ73の付勢力に基づいて上動して折畳時嵌合体66のロック用係合孔部67から抜き出される。
【００６１】
そして、このような散布装置１によれば、ロック手段10のロックアーム71は、少なくともロック状態時において、トラクタに乗った作業者が目視可能なロック確認部95を有するため、トラクタに乗った作業者は、乗ったまま後方を見るだけでロックアーム71の状態を容易に確認できる。よって、当該作業者は、ロック手段10によって第２作業部４がロックされていることを容易に確認できる。
【００６２】
また、ロックアーム71のロック確認部95は、散布装置１の吊り上げの際に吊上部材96と係合する環状部分97を有するため、ロックアーム71を用いて散布装置１を容易に吊り上げることができる。
【００６３】
さらに、左右のロックアーム71のロック確認部95は、両ロックアーム71のロック状態時には第１作業部３よりも上方の位置で互いに交差状に近接して位置するため、フックで交点を直接吊ることで吊上用のスリング（例えば吊ベルトや吊チェーン等）を使用することなく、散布装置１を容易かつ適切に吊り上げることができる。
【００６４】
また、ロック手段10は、ロックアーム71のロック状態時には折畳時嵌合体66のロック用係合孔部67と係合するが、ロックアーム71のロック解除状態時には当該ロック用係合孔部67と係合しない移動可能なロックピン72と、このロックピン72を折畳時嵌合体66のロック用係合孔部67との係合位置から当該ロック用係合孔部67と係合しない位置（非係合位置）まで移動させるコイルバネ73とを有するため、簡単な構成のロック手段10によって第２作業部４を適切にロックできる。
【００６５】
さらに、中央側の第１作業部３は、展開時に第２作業部４の展開時嵌合体61を保持する展開時嵌合受け体31と、折畳時に第２作業部４の折畳時嵌合体66を保持する折畳時嵌合受け体36とを有するため、展開時及び折畳時のいずれにおいても、第２作業部４が自重で下がるのを防止できる。
【００６６】
また、第１係合体13及び第２係合体43からなるクラッチ手段44を備えるため、第２作業部４の展開状態時には第１回転体12側からの動力を第２回転体42側へ適切に伝達でき、第２作業部４の折畳状態時にはその動力伝達を適切に遮断できる。
【００６７】
さらに、第２作業部４の折畳状態時には、回動用シリンダ５は、第２作業部４の断面コ字状の後フレーム63内に入り込むため、折り畳んだ散布装置１のコンパクト化を図ることができる。
【００６８】
次に、本発明の第２の実施の形態について図１０ないし図１２を参照して説明する。
【００６９】
この第２の実施の形態に係る散布装置１では、ロック手段10は、ロックピン72を有さず、上下方向長手状のロックアーム71の下端部が、折畳時嵌合体66のロック用係合孔部67に対して挿入出されるロック部111となっている。このロックアーム71の下端部近傍には、丸軸状の１対のストッパー112が突設されるとともに環状部材である止め輪113が装着されている。
【００７０】
また、第１作業部３の各折畳時嵌合受け体36の上板部83には、断面コ字状のコ字枠116が固設されている。このコ字枠116の水平状の板部117には、ロックアーム71が挿通された挿通孔118が形成され、この挿通孔118はストッパー112が通過可能な大きさの矩形状に形成されている。そして、ロックピン72のロック部111の外周側にはコイルバネ73が設けられ、このコイルバネ73の上端が止め輪113に当接しかつ下端が上板部83における孔部90の周囲部分の上面に当接している。
【００７１】
さらに、ロックアーム71は、円環状のハンドル部を兼ねた環状部分97を上端側（先端側）に有し、このロックアーム71のロック確認部95は、常時、第１作業部３よりも上方に突出して位置する環状部分97を含む上端側の部分によって構成されている。
【００７２】
そして、このロック手段10で第２作業部４をロックする場合には、図１２に示すように、作業者は、ロックアーム71を押し下げるようにしてコイルバネ73の付勢力に抗して下動させた後に９０度回動させることで、当該ロックアーム71をロック解除状態（円環状の環状部分97が左右方向に沿った状態）からロック状態（円環状の環状部分97が前後方向に沿った状態）に切り換える。すると、ロックアーム71のロック部111が折畳時嵌合体66のロック用係合孔部67に挿入され、その結果、第２作業部４が第１作業部３に対してロックされる。
【００７３】
また、このロック手段10によるロックを解除する場合には、図１１に示すように、作業者は、ロックアーム71を９０度回動させる。すると、ロックアーム71は、コイルバネ73の付勢力に基づいて上動してロック解除状態となり、ロック部111が折畳時嵌合体66のロック用係合孔部67から抜け出る。その結果、ロック手段10による第２作業部４のロックが解除される。
【００７４】
そして、このような第２の実施の形態に係る散布装置１でも、前記第１の実施の形態のものと同様、ロック手段10のロックアーム71はトラクタ側の作業者が目視可能なロック確認部95を有するため、トラクタに乗った作業者は、乗ったまま後方を見るだけでロックアーム71の状態を容易に確認できる等の作用効果を奏することができる。
【００７５】
また、ロックアーム71のロック確認部95は、図１０に示すように、散布装置１の吊り上げの際に吊上部材96、すなわちこの図示した例ではフックを引っ掛ける吊上用のスリング（例えば吊ベルトや吊チェーン等）と係合する環状部分97を有するため、ロックアーム71を用いて散布装置１を容易に吊り上げることができる。
【００７６】
なお、いずれの実施の形態においても、散布装置１は、回動用シリンダ５等の回動駆動手段を備えたものには限定されず、例えば第２作業部４を第１作業部３に対して手動で回動させる手動式の構成でもよい。
【００７７】
また、折り畳み可能な農作業機は、散布作業を行う散布装置１には限定されず、耕耘作業等を行う他の作業機でもよい。
【００７８】
さらに、ロック手段は、折畳状態の第２作業部をロックする折畳時ロック手段には限定されず、展開状態の第２作業部をロックする展開時ロック手段でもよい。
【符号の説明】
【００７９】
１    農作業機である散布装置
３    第１作業部
４    第２作業部
10    ロック手段
11    第１収容体
12    第１回転体
13    第１係合体
41    第２収容体
42    第２回転体
43    第２係合体
67    ロック用係合部であるロック用係合孔部
70    取付部であるアーム取付部
71    操作体であるロックアーム
72    ロック体であるロックピン
73    付勢体であるコイルバネ
95    ロック確認部
96    吊上部材
97    係合部分である環状部分
【図１】
2019118300.tif 000003
【図２】
2019118300.tif 000004
【図３】
2019118300.tif 000005
【図４】
2019118300.tif 000006
【図５】
2019118300.tif 000007
【図６】
2019118300.tif 000008
【図７】
2019118300.tif 000009
【図８】
2019118300.tif 000010
【図９】
2019118300.tif 000011
【図１０】
2019118300.tif 000012
【図１１】
2019118300.tif 000013
【図１２】
2019118300.tif 000014